(57)【特許請求の範囲】
【請求項１】
液透過性の表面シート、液難透過性の裏面シート及び両シート間に介在配置された液保持性の吸収体を有する吸収性物品であって、
前記吸収体は、上層吸収体及び下層吸収体を有し、
上層吸収体は吸収性コアを有し、下層吸収体は中央吸収性コアとその両側に位置する側部吸収性コアとを有する吸収性コアを有しており、
上層吸収体と下層吸収体は、吸収性コア間に複数枚の親水性の液拡散シートを介在させた状態で重なり合った積層部分を備え、
前記親水性の液拡散シートが、上層吸収体及び下層吸収体それぞれの吸収性コアを覆うコアラップシートであり、上層吸収体のコアラップシートが非肌対向面側に両端部の重なり部分を有し、下層吸収体のコアラップシートが肌対向面側に両端部の重なり部分を有し、双方の重なり部分が上層及び下層の吸収体間で重なって前記積層部分を構成し、
上層吸収体と下層吸収体のコアラップシート間は部分的に接合されている吸収性物品。
【請求項２】
上層吸収体の吸収性コアの幅が下層吸収体の中央吸収性コアの幅より狭い請求項１記載の吸収性物品。
【請求項３】
前記親水性の液拡散シートは、上層吸収体と下層吸収体とが重なる範囲の幅方向中央部の積層枚数が、該幅方向両端部の積層枚数より多い請求項１又は２記載の吸収性物品。
【請求項４】
上層吸収体と下層吸収体とが重なる範囲に、前記親水性の液拡散シートの積層枚数が異なる２以上の領域を有しており、前記２以上の領域は、幅方向中央から両側に離れるに従い前記積層枚数が減少している、請求項１〜３の何れか１項に記載の吸収性物品。
【請求項５】
上記積層枚数が異なる領域が３以上である、請求項４記載の吸収性物品。
【発明の詳細な説明】
【技術分野】
【０００１】
本発明は、吸収性物品に関する。
【背景技術】
【０００２】
従来の吸収性物品として、液透過性の表面シート、液難透過性の裏面シート及び両シート間に介在配置された液保持性の吸収体を有し、前記吸収体が、積層した２つの吸収体からなる使い捨ておむつものが知られている。
また、そのような使い捨ておむつとして、特許文献１には、２つの吸収体を、両者の吸収性コア間に液拡散紙を配置しないで重ねたものを吸収体に用いたパンツ型使い捨ておむつも知られている（特許文献１参照）。
また、積層した２つの吸収体の吸収性コア間に一枚の液拡散シートを配する技術も知られている（特許文献２参照）。
【先行技術文献】
【特許文献】
【０００３】
【特許文献１】特許第４６６２４６３号公報
【特許文献２】特開２００８−２８４１６７号公報
【発明の概要】
【発明が解決しようとする課題】
【０００４】
吸収性物品における吸収体を、積層した複数の吸収体から構成することにより必要な部分の吸収容量を高めることができる。
しかし、特許文献１のものは、液が吸収体の比較的狭い範囲に吸収且つ保持される傾向が高いため、吸収体の全体の吸収容量の活用の点で改善の余地があった。また、比較的狭い範囲に留まっている液が、加圧により表面シート側に液戻りを生じて不快感やムレの原因となることがあった。
また、特許文献２開示のものでは、２層の吸収体間に１層の拡散シートを配するのみであり、しかも、拡散シートとしては疎水性材料である不織布や多孔性プラスチックフィルムを使用することが記載されていることから、排泄液の平面方向拡散性が強すぎ、排泄液の漏れが生じ易く、また、下層側の吸収体が有効に利用され難いという欠点があった。
【０００５】
従って、本発明の課題は、吸収体の吸収容量を有効活用できると共に、漏れや液戻りも生じにくい吸収性物品を提供することにある。
【課題を解決するための手段】
【０００６】
本発明は、液透過性の表面シート、液難透過性の裏面シート及び両シート間に介在配置された液保持性の吸収体を有する吸収性物品であって、前記吸収体は、上層吸収体及び下層吸収体を有し、上層吸収体は吸収性コアを有し、下層吸収体は中央吸収性コアとその両側に位置する側部吸収性コアとを有する吸収性コアを有しており、上層吸収体と下層吸収体は、吸収性コア間に複数枚の親水性の液拡散シートを介在させた状態で重なり合った積層部分を備えている吸収性物品を提供するものである。
【発明の効果】
【０００７】
本発明の吸収性物品は、吸収体の吸収容量を有効活用できると共に、漏れや液戻りも生じにくい。
【図面の簡単な説明】
【０００８】
【図１】図１は、本発明の第１実施形態である使い捨ておむつを示す斜視図である。
【図２】図２は、図１に示す使い捨ておむつの展開且つ伸長状態を示す平面図である。
【図３】図３は、図１に示す使い捨ておむつの着用状態における股下部の幅方向の断面を示す断面図である。
【図４】図４は、図３の一部を拡大して示す拡大断面図である。
【図５】図５は、第１実施形態の使い捨ておむつの効果の説明図である。
【図６】図６は、上部吸収体と下部吸収体との間の好ましい接着状態を示す接着剤配置説明図である。
【図７】図７は、液透過時間の測定方の説明図である。
【発明を実施するための形態】
【０００９】
以下に、本発明の使い捨ておむつをその好ましい実施形態に基づき図面を参照しながら説明する。
本発明の吸収性物品の一実施形態である使い捨ておむつ１（以下、おむつ１ともいう）は、図３に示すように、液透過性の表面シート２、液難透過性の裏面シート３及び両シート間に介在配置された液保持性の吸収体４を有している。液難透過性は、液不透過性と液難透過性を含む概念である。
また、吸収体４は、上層吸収体４Ａ及び下層吸収体４Ｂを有し、上層吸収体４Ａと下層吸収体４Ｂは、吸収性コア４１，４５間に複数枚の親水性の液拡散シート（以下、単に液拡散シートとも言う）としての親水性のコアラップシート（以下、単にコアラップシートとも言う）４２，４４を介在させた状態で重なり合っている。
【００１０】
おむつ１についてより具体的に説明する。
おむつ１は、着用時に着用者の腹側に配される腹側部Ａ、着用時に着用者の背側に配される背側部Ｂ、及び腹側部Ａと背側部Ｂとの間に位置して、着用時に着用者の股間部に配される股部Ｃを有している。そして、腹側部Ａの両側部と背側部Ｂの両側部とがヒートシールや超音波シール等の公知の接合方法により接合されており、その接合によって、おむつ１に、一対のサイドシール部Ｓ，Ｓ、ウエスト開口部５及び一対のレッグ開口部６，６が形成されている。
【００１１】
なお、本明細書において、吸収性物品や吸収体における長手方向は、着用時に着用者の前後方向に一致する方向であり、図中のＹ方向である。他方、吸収性物品や吸収体における幅方向は、前記長手方向と交差する方向であり、図中Ｘ方向である。また、親水性とは水分をその厚み方向に透過可能な性質や保持可能な性質を意味し、撥水性に対抗する性質である。
【００１２】
おむつ１は、図２に示すように、吸収性本体１０と、該吸収性本体１０の非肌対向面側に位置して吸収性本体１０を固定している外装体１１とを具備している。
吸収性本体１０は、図２及び図３に示すように、おむつの長手方向Ｙと同方向に長い長方形状であり、前述した表面シート２、裏面シート３及び吸収体４を有する。
吸収体４は、図３に示すように、上層吸収体４Ａ及び下層吸収体４Ｂを有し、上層吸収体４Ａは、下層吸収体４Ｂの肌対向面側に配されている。
上層吸収体４Ａは、吸収性コア４１と、該吸収性コア４１を被覆する親水性のコアラップシート４２とからなる。
また、下層吸収体４Ｂも、吸収性コア４３と、該吸収性コア４３を被覆する親水性のコアラップシート４４とからなる。また、上層吸収体４Ａ及び下層吸収体４Ｂは、いずれも、吸収性本体１０と同方向に長い形状を有しているが、上層吸収体４Ａは、その長手方向の長さが下層吸収体４Ｂよりも短く、またその幅も、下層吸収体４Ｂより狭い。
また、下層吸収体４Ｂの吸収性コア４３は、股下部Ｃに、中央吸収性コア４５とその長手方向両側に位置する側部吸収性コア４６，４６とを有している。上層吸収体４Ａの幅は、中央吸収性コア４５の幅よりも狭くなっており、より具体的には、上層吸収体４Ａの吸収性コア４１の幅（Ｘ方向の長さ）が下層吸収体４Ｂの中央吸収性コア４５の幅（Ｘ方向の長さ）より狭くなっている。
【００１３】
上層吸収体４Ａの吸収性コア４１は、パルプ繊維等の繊維の集合体（不織布であっても良い）又はこれに吸水性ポリマーの粒子を保持させてなる。
下層吸収体４Ｂの中央吸収性コア４５及び側部吸収性コア４６，４６も、パルプ繊維等の繊維の集合体（不織布であっても良い）又はこれに吸水性ポリマーの粒子を保持させてなる。吸収性コア４１，４５，４６を構成する繊維の集合体は、フラッフパルプ（綿状パルプ）の積繊物又はフラッフパルプと吸水性ポリマーの混合積繊物であることが好ましい。
【００１４】
また、コアラップシート４２及び４４は、吸収性コア４１の形状を保持すると共に吸収性コア４１の構成材料の脱落や漏出を防止するものである。コアラップシート４２及び４４は、使い捨ておむつや生理用ナプキン等の吸収性物品に従来用いられている各種公知のものを用いることができ、例えばティッシュペーパのような薄紙や透水性の不織布等が好ましく用いられる。コアラップシート４２，４４は、吸収性コア４１又は４３の肌対向面側を被覆する部分と非肌対向面側を被覆する部分とで別々のシートであっても良いし、一枚のシートで、吸収性コア４１又は４３の幅方向断面の全周囲を被覆していても良い。
本実施形態の吸収体４におけるコアラップシート４２は、吸収性コア４１の長手方向の全長に亘って吸収性コア４１の幅方向の断面（図３参照）の全周を覆っており、吸収性コア４１の非肌対向面側において幅方向の両端部どうしが重なっている。その端部どうしは、ホットメルト接着剤等で接着されていてもよいが、接着されていなくてもよい。また、本実施形態の吸収体４におけるコアラップシート４４は、吸収性コア４３の長手方向の全長に亘って吸収性コア４３の幅方向の断面（図３参照）の全周を覆っており、吸収性コア４３の肌対向面側において幅方向の両端部どうしが重なっている。その端部どうしは、ホットメルト接着剤等で接着されていてもよいが、接着されていなくてもよい。
【００１５】
コアラップシート４２，４４又は親水性の液拡散シートとして用いる繊維シート（薄紙、不織布等）は、その構成繊維が親水性繊維であることが好ましい。親水性繊維としては、例えば木材パルプ、コットン、レーヨン等のセルロース系繊維、あるいは親水化処理した疎水性合成繊維が好適に用いられ、それぞれを単独あるいは混合して用いることができる。また、シートの強度を高めることを目的として、熱融着性繊維等の疎水性合成繊維を少量配合してもよい。また、不織布としては、例えばスパンボンド不織布、ＳＭ（スパンボンド−メルトブローン）不織布、ＳＭＳ（スパンボンド−メルトブローン−スパンボンド）不織布、エアレイド不織布、スパンレース不織布、エアースルー不織布等が挙げられる。
【００１６】
また、本おむつ１においては、図２に示すように、吸収性本体１０の長手方向の左右両側に、液抵抗性ないし撥水性で且つ通気性の素材８２から構成された側方カフス８，８が形成されている。各側方カフス８の自由端部の近傍には、複数の側方カフス弾性部材８１が伸張状態で配されている。また、各側方カフス８における、吸収性本体１０の側縁部の近傍には、吸収性本体１０の両側部を、着用者の肌側に向かって起立させるための中間弾性部材８３が配されている。側方カフス８は、側方カフス弾性部材８１が収縮することにより、おむつ着用時に起立して液の側方への流出を阻止すると共に、吸収性本体１０の両側部を、図３に示すように起立させる。
【００１７】
なお、外装体１１と、図２及び図３に示すように、おむつの外表面を形成する外層シート１２、外層シート１２に隣接してその肌対向面側に位置する内層シート１３及び内層シート１３の肌対向面側に位置して、吸収性本体１０の長手端部を覆っている補助シート１５を有しており、ウエスト開口部５の周縁部、レッグ開口部６の周縁部、及び腹側部Ａ及び背側部Ｂそれぞれの股下部寄りの部位においては、外層シート１２と内層シート１３との間に、ウエストギャザー形成用の弾性部材７１，レッグギャザー形成用の弾性部材６１，下腹部ギャザー形成用の弾性部材９１が形成されている。また、ウエストギャザー形成用の弾性部材７１とレッグギャザー形成用の弾性部材６１との間においては、内層シート１３と補助シート１５との間に、内部ギャザー形成用の内側弾性部材７１が配されている。内部ギャザーは、外層シート１２より肌対向面側に位置するシートの外層シート１２に接合されていない部分に形成されるギャザーである。肌対向面は、吸収性物品やその構成部材における着用時に着用者の肌側に向けられる面であり、非肌対向面は、吸収性物品やその構成部材における着用時に着用者の肌側とは反対側に向けられる面である。
【００１８】
おむつ１においては、図３に示すように、上層吸収体４Ａと下層吸収体４Ｂとが、それぞれの吸収性コア４１，４５間に、本発明における液拡散シートに該当する複数枚の親水性のコアラップシート４２，４４を介在させた状態で重なり合っている。
本実施形態のおむつ１においては、コアラップシート４２，４４が、本発明の液拡散シートであるため、以下、これらを液拡散シート４２，４４ともいう。
【００１９】
本実施形態のおむつ１によれば、図３に示すように、上層吸収体４Ａにおける吸収性コア４１と下層吸収体４Ｂにおける中央吸収性コア４５との間に、複数枚の親水性の液拡散シート４２，４４が介在しているため、両シート４２，４４の合計厚みによって吸収体厚み方向への液の浸透がゆっくりとなり、中央吸収性コア４５への液の供給速度が制限される結果となり、相対的に平面方向への拡散が促進される。あるいは、図５に示すように、おむつ１の肌対向面側から供給され、液拡散シート４２，４４間に達した液Ｕは、両シート４２，４４間を流れて、平面方向に拡散し得る。これにより、吸収体４の長手方向の広い範囲の吸収容量が有効に活用される。
また、液Ｕは、液拡散シート４２，４４内又は間を幅方向にも拡散するが、下層吸収体が、中央吸収性コア４５とその両側に位置する側部吸収性コア４６とを有し、幅方向に拡散した液Ｕを吸収するため、吸収体４の幅方向の両端から液Ｕの漏れ出しは生じにくい。
【００２０】
また、液拡散シート４２，４４間を流れて液Ｕが平面方向に拡散することにより、狭い範囲に多量の液が滞留する場合と比較して、吸収体４から表面シート２への液戻りも生じにくくなる。
【００２１】
また、本実施形態における吸収体４においては、上層吸収体４Ａの吸収性コア４１の幅が下層吸収体４Ｂの中央吸収性コア４５の幅より狭くなっているため、下層吸収体４Ｂの側部吸収性コア４６、４６の起立が阻害されにくい。また、上層吸収体ですぐに吸収されなかった排泄液は上層吸収体４Ａ幅よりも両端外側に位置する下層吸収体４Ｂで吸収され、さらに吸収体表面の液は側部吸収性コアで吸収される構造となっている。そして、起立した側部吸収性コア４６，４６は排泄液の横漏れを有効に抑制するので、吸収体全体が有効に吸収性能に寄与しうるという効果が得られる。
下層吸収体４Ｂ側の液拡散シート４４が、上層吸収体４Ａ側の液拡散シート４２のＸ方向両端から延出する長さは、吸収性物品の長手方向両側それぞれにおいて、２ｍｍ以上であることが好ましく、３〜１０ｍｍであることが、下層吸収体４Ｂによる吸収を効率化することができ、漏れ抑制を効果的にするのでより好ましい。
【００２２】
また、本実施形態における吸収体４においては、図４に示すように、コアラップシート４２の両端部の重なり部分とコアラップシート４４の両端部の重なり部分とが上下吸収体間で重なり、領域Ｐ１を構成し、コアラップシート４２両端部の重なり部分とコアラップシート４４の前記重なり領域の左右両外側の領域でＰ２，Ｐ２を構成している。より詳細には、上層吸収体４Ａと下層吸収体４Ｂとが重なる範囲Ｒ１（図３参照）の幅方向中央部（Ｘ方向中央部）に、液拡散シートの積層枚数が４枚である領域Ｐ１を有し、その両側に、液拡散シートの積層枚数が３枚である領域Ｐ２を有し、更にその外側に、液拡散シートの積層枚数が２枚である領域Ｐ３を有している。従って、領域Ｐ１から幅方向外側に向かって領域Ｐ２，Ｐ３と液拡散シートの重なり枚数が少なくなるようになっている。
【００２３】
このように、液拡散シートの幅方向中央部の積層枚数を、幅方向両端部の積層枚数より多くすることにより、幅方向中央部の間隙が両端部の間隙よりも狭くなり、液拡散シート間での液拡がりが中央部長さ方向で促進され、幅方向の液拡散が抑制され横漏れしにくくなる。また、幅方向中央部は一般に排泄液が初期に到達する所であるので、その場所では排泄液がなるべく厚み方向下方へ浸透するのを妨げ、一定量の排泄液を保持しながら平面方向に液を拡散していくのに都合が良い。しかも、平面方向への液拡散が、拡散シートの親水性によって程よい速度に制御できるので、横漏れ抑制に有効である。
【００２４】
また、本実施形態における吸収体４のように、上層吸収体４Ａと下層吸収体４Ｂとが重なる範囲Ｒ１（図３参照）に、液拡散シートの積層枚数が異なる２以上の領域を設けることによって、液拡散シートの親水性のために、幅方向中央で上述した一定量の排泄液を保持しながら有効に平面方向へ液を拡散していく効果が得られる。この効果は、積層枚数が異なる３以上の領域Ｐ１〜Ｐ３を設けることにより、より有効となる。また、液拡散シート４２と４４の間隙に勾配が形成され、液Ｕが幅方向（Ｘ方向）に拡散するのを抑制するのに有効である。
【００２５】
上述した一又は二以上の効果がより確実に奏されるようにする観点から、本発明の液拡散シートは、液透過時間が０．５秒〜６秒、特に１秒〜５秒であることが好ましい。
前記液透過時間は、液の透過性を示す指標であり、液透過時間が長いと、液が、拡散シート内若しくは拡散シート間を拡散し易くなることを示し、液透過時間が短いと拡散シートへ到達した排泄液は下層吸収性コアに吸収され易くなることを示す。
【００２６】
〔液透過時間の測定方法〕
図７に示すように、上下端が開口している内径３５ｍｍの２本の円筒９１，９２を、両円筒９１，９２の軸を一致させて上下に配し、８ｃｍ四方の測定対象シートＳ（液拡散シート）を上下の円筒９１，９２間に挟み込む。このとき、上側の円筒９１の下端及び下側の円筒９２の上端に設けられた環状のフランジ部にクリップ９３を嵌合させ、上下の円筒９１，９２を連結させることが好ましい。符号９４は、円筒９１，９２の内径と同径同形状の貫通孔を有するゴム製等のパッキンである。このように、上下の円筒９１，９２で測定対象シートＳ（液拡散シート）を挟持固定した状態で、上側の円筒９１内に、図１中符合Ｗで示す生理食塩水（塩化ナトリウム濃度０．９質量％の水溶液）を４０ｇ供給する。供給された生理食塩水は、測定対象シートＳ（液拡散シート）を透過して下側の円筒９２内に移行する。生理食塩水の供給開始時から、生理食塩水が下側の円筒９２内に完全に移行するまでの時間を測定し、その時間を液透過時間とする。
【００２７】
また、上層吸収体４Ａ側の液拡散シート４２と下層吸収体４Ｂ側の液拡散シート４４は、液拡散性が同一であっても良いが、異なっていても良い。
例えば、上層吸収体４Ａ側の液拡散シート４２として、下層吸収体４Ｂ側の液拡散シート４４よりも液拡散性の低いシートを用いることにより、上層吸収体４Ａで吸収した液を速やかに上層吸収体の液拡散シートと下層吸収体の液拡散シートの間隙に移行して、上層吸収体の吸収性コア液拡散を抑制し液戻りを少なく出来る。
【００２８】
また、上層吸収体４Ａの吸収性コア４１と下層吸収体４Ｂの中央吸収性コア４５との間において、吸収性コア４１と液拡散シート４２との間、及び中央吸収性コア４５と液拡散シート４４との間は、それぞれ、パターン塗工された接着剤等を介して接着されていても良い。
また、上層吸収体４Ａ側の液拡散シート４２と下層吸収体４Ｂ側の液拡散シート４４とは、部分的に接合されていることが好ましく、例えば、パターン塗工された接着剤（ホットメルト接着剤）等を介して接着されていていることが好ましい。
例えば、パターン塗工のパターンは、散点状のパターンやスパイラルパターン、オメガ字状のパターン、細幅ストライプパターン等が挙げられる。図６に、液拡散シート４２，４４間を接着剤４８で部分接合する場合に好ましく用いられるスパイラルパターンの例を示した。
【００２９】
上述したおむつ１の各部の形成材料について説明する。
表面シート２、裏面シート３、吸収体４、及び側方カフス８形成用シート等としては、使い捨ておむつ等の吸収性物品に従来用いられている各種のもの等を特に制限なく用いることができる。例えば、表面シート２としては、単層又は多層構造の不織布や、開孔フィルム等を用いることができる。裏面シート３としては、樹脂フィルムや樹脂フィルムと不織布の積層体等を用いることができる。裏面シート３は、透湿性を有するものでも有しないものでも良い。
【００３０】
また、外層シート１２，内層シート１３，補助シート１５としても、使い捨ておむつ等の吸収性物品に従来用いられている各種のシート材を特に制限なく用いることができるが、不織布を用いることが好ましく、不織布としては、エアースルー不織布、ヒートロール不織布、スパンレース不織布、スパンボンド不織布、メルトブローン不織布の単層の不織布又はこれらが２層以上に積層された積層不織布等が好ましい。また、外層シート１２，内層シート１３，補助シート１５として、不織布とフィルムとを一体化したシート等を用いることもできる。
【００３１】
弾性部材５１，６１，７１，８１，９１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは紐状（平ゴム等）のもの、又はマルチフィラメントタイプの糸状のもの等を好ましく用いることができる。
【００３２】
以上、本発明をその好ましい実施形態に基づき説明したが、本発明は上述した実施形態に制限されず適宜変更可能である。
例えば、本発明の吸収性物品は、パンツ型の使い捨ておむつやパンツ型の生理用ナプキン等のパンツ型吸収性物品の他、展開型の使い捨ておむつ、失禁パッド、等であっても良い。また、上述した実施形態の吸収体４は、上層吸収体４Ａの吸収性コアの幅が下層吸収体４Ｂの中央吸収性コアの幅より狭いものであったが、上層吸収体４Ａの吸収性コアの幅と下層吸収体４Ｂの中央吸収性コアとが同じでも良いし、上層吸収体４Ａの吸収性コアの幅が下層吸収体４Ｂの中央吸収性コアの幅より広くても良い。また、中央吸収性コアと側部吸収性コアとの間は、離間していても良いし、両者が接触していても良い。また、中央吸収性コアと側部吸収性コアとの間に隙間４７を設ける場合、その部分は、吸収性コアの形成材料が全く存在しない部分であっても良いが、他の部分に比して充分に少ない量（例えば坪量で１／４以下等）の形成材料が存在していても良い。また、下層吸収体４Ｂにおける吸収性コア４３は、股下部Ｃにおいては、中央吸収性コア４５と側部吸収性コア４６，４６とに分割されている一方、腹側部Ａ及び／又は腹側部Ｂにおいて、側部吸収性コア４６，４６の端部が中央吸収性コア４５と連続していても良い。更に、吸収体としてフラップパルプを含まないポリマーシート(抄紙パルプシート間または不織布間に吸収性ポリマーを配したシート)を使用すると、薄く高吸収性であって、液拡散性が優れたものとなる。上層吸収体と下層吸収体とが重なる範囲Ｒ１に、液拡散シートの積層枚数が異なる２つの領域を有する実施形態の例としては、図３に示すおむつ１の上層吸収体４Ａを、その上下を逆にして下層吸収体４Ｂ上に配置した形態や、図３に示すおむつ１の下層吸収体４Ｂを、その上下を逆にして上層吸収体４Ａの下に配置した形態が挙げられる。
【符号の説明】
【００３３】
１  使い捨ておむつ（吸収性物品）
２  表面シート
３  裏面シート
４  吸収体
４Ａ  上層吸収体
４１  吸収性コア
４２  コアラップシート（親水性の液拡散シート）
４Ｂ  下層吸収体
４４  コアラップシート（親水性の液拡散シート）
４５  中央吸収性コア
４６  側部吸収性コア
５  ウエスト開口部
６  レッグ開口部
１０  吸収性本体
１１  外装体
【図１】
0005846870.tif 000002
【図２】
0005846870.tif 000003
【図３】
0005846870.tif 000004
【図４】
0005846870.tif 000005
【図５】
0005846870.tif 000006
【図６】
0005846870.tif 000007
【図７】
0005846870.tif 000008